(57)【特許請求の範囲】
【請求項１】
システムであって、
捜索および救援動作の間に放射光線の検出を可能とし、前記放射光線の少なくとも一部が紫外線ｃ−帯域放射光線を含んだ紫外線ｃ−帯域放射光線検出器であって、紫外線ｃ−帯域放射光線検出器が、検出した紫外線ｃ−帯域放射光線のレベルに対応付けて値を生成するように構成されることを特徴とする、紫外線ｃ−帯域放射光線検出器と、
検出した紫外線ｃ−帯域放射光線に応答して刺激を発生する刺激発生器と、
を備え、
前記紫外線ｃ−帯域放射光線検出器が、
第１の紫外線ｃ−帯域放射光線検出器と、
第２の紫外線ｃ−帯域放射光線検出器と、
前記第１紫外線ｃ−帯域放射光線検出器および前記第２紫外線ｃ−帯域放射光線検出器を同期するための回路と、を備え、
前記刺激発生器が、前記紫外線ｃ−帯域放射光線検出器が生成した値を受け、前記紫外線ｃ−帯域放射光線検出器が生成した値に比例した刺激を発生し、
前記ｃ−帯域放射光線検出器が光電ガス放電検出器である、
ことを特徴とする、システム。
【請求項２】
請求項１に記載のシステムにおいて、前記刺激が、体知覚刺激、音響刺激または視覚刺激の内少なくとも１つを含む、システム。
【請求項３】
請求項２に記載のシステムにおいて、前記体知覚刺激は振動刺激を含む、システム。
【請求項４】
請求項１〜３のいずれか一項に記載のシステムであって、更に、
前記紫外線ｃ−帯域放射光線検出器および前記刺激発生器をハウジングするための本体を備えており、
前記刺激発生器が、捜索および救援ビーコンによって発せられる検出した紫外線ｃ−帯域放射光線に応答して前記本体を振動させるように構成され、前記振動の大きさは、前記本体の縦軸に対する前記捜索および救援ビーコンの方向に対応付いている、システム。
【請求項５】
請求項１〜４のいずれか一項に記載のシステムであって、更に、前記放射光線を発する放射光線源を備える救援ビーコンを備える、システム。
【請求項６】
前記放射光線源が無指向性放射光線源である、請求項５に記載のシステム。
【請求項７】
請求項１〜６のいずれか一項に記載のシステムであって、更に、
前記紫外線ｃ−帯域放射光線検出器および前記刺激発生器をハウジングするための長尺体を備え、前記紫外線ｃ−帯域放射光線検出器が前記長尺体の端部に配置される、システム。
【請求項８】
請求項７に記載のシステムであって、更に、
前記紫外線ｃ−帯域放射光線検出器に近接して前記長尺体の端部に配置される反射器を備え、前記反射器が前記紫外線ｃ−帯域放射光線検出器に近接して紫外線ｃ−帯域放射光線の入射を反射する、システム。
【請求項９】
請求項８に記載のシステムにおいて、前記第１紫外線ｃ−帯域放射光線検出器と前記第２紫外線放射光線検出器は、前記反射器が前記紫外線ｃ−帯域放射光線を焦束する軸に沿って配置される、システム。
【請求項１０】
ハンドヘルド・デバイスであって、
捜索および救援動作の間に放射光線の検出を可能とし、前記放射光線の少なくとも一部が紫外線ｃ−帯域放射光線を含んだ紫外線ｃ−帯域放射光線検出器であって、紫外線ｃ−帯域放射光線検出器が、検出した紫外線ｃ−帯域放射光線のレベルに対応付けて値を生成するように構成されることを特徴とする、紫外線ｃ−帯域放射光線検出器と、
検出した紫外線ｃ−帯域放射光線に応答して刺激を発生する刺激発生器であって、刺激発生器が、前記紫外線ｃ−帯域放射光線検出器が生成した値を受け、前記紫外線ｃ−帯域放射光線検出器が生成した値に比例した刺激を発生することを特徴とする刺激発生器と、
前記紫外線ｃ−帯域放射光線検出器および前記刺激発生器をハウジングするための長尺体と、
を備え、
前記刺激発生器が、検出した紫外線ｃ−帯域放射光線に応答して前記長尺体を振動させるように構成され、
前記紫外線ｃ−帯域放射光線検出器が、
第１の紫外線ｃ−帯域放射光線検出器と、
第２の紫外線ｃ−帯域放射光線検出器と、
前記第１紫外線ｃ−帯域放射光線検出器および前記第２紫外線ｃ−帯域放射光線検出器に結合される回路と、を備え、
前記回路が、前記第１紫外線ｃ−帯域放射光線検出器および前記第２紫外線ｃ−帯域放射光線検出器を同期させ、
前記ｃ−帯域放射光線検出器が光電ガス放電検出器である、
ことを特徴とするハンドヘルド・デバイス。
【請求項１１】
前記刺激発生器が、前記長尺体の縦軸に対する紫外線ｃ−帯域放射光線を発する供給源の方向に対応して、前記長尺体を振動させるように構成される、請求項１０に記載のハンドヘルド・デバイス。
【請求項１２】
捜索および救援方法であって、
捜索および救援ビーコンによって発せられる紫外線ｃ−帯域放射光線を検出するステップであって、検出した紫外線ｃ−帯域放射光線のレベルに対応付けて値を生成するように紫外線ｃ−帯域放射光線検出器が構成されることを特徴とする、紫外線ｃ−帯域放射光線を検出するステップと、
ユーザに知らせるために、検出した紫外線ｃ−帯域放射光線に応答して刺激を発生するステップであって、前記紫外線ｃ−帯域放射光線検出器が生成した値を受け、前記紫外線ｃ−帯域放射光線検出器が生成した値に比例した刺激を刺激発生器が生成することを特徴とする、刺激を発生するステップと、
を含み、
前記紫外線ｃ−放射光線が第１の紫外線ｃ−帯域放射光線検出器および第２の紫外線ｃ−帯域放射光線検出器を用いて検出され、更に、
前記第１紫外線ｃ−帯域放射光線検出器および前記第２紫外線ｃ−帯域放射光線検出器を同期するステップを含み、
前記ｃ−帯域放射光線検出器が光電ガス放電検出器である、
捜索および救援方法。
【請求項１３】
請求項１２に記載の捜索および救援方法において、
刺激を発生するステップが、ハンドヘルド・デバイスを振動させるために、振動刺激を発生することを含む、
捜索および救援方法。
【請求項１４】
請求項１２又は１３に記載の捜索および救援方法において、紫外線ｃ−帯域放射光線を検出するステップが、更に、
ユーザ位置に対する前記捜索および救援ビーコンの方向の決定を可能にすることを含む、
捜索および救援方法。
【請求項１５】
請求項１２〜１４のいずれか一項に記載の捜索および救援方法において、刺激発生器は、前記ユーザ位置に対する前記捜索および救援ビーコンの方向を表す軸と、紫外線ｃ−帯域放射光線検出器の視界との間の角度に対応付いた刺激を与える、捜索および救援方法。
【請求項１６】
請求項１５に記載の捜索および救援方法において、前記紫外線ｃ−帯域放射光線検出器の視界が、前記紫外線ｃ−帯域放射光線検出器をハウジングするために用いられる長尺体の縦軸に沿って配向される、捜索および救援方法。
【発明の詳細な説明】
【背景技術】
【０００１】
本願は、２００９年９月４日付けの「紫外線放射光線を用いた捜索および救援」と題さ
れた米国特許出願の一部継続出願第１２／５５４，５２７号であり、参照により本願明細
書に組み込むものとする。
【０００２】
当技術分野では周知のように、紫外線（ＵＶ）光は電磁波であり、その波長は可視光よ
りは短いが、Ｘ−線よりは長い。ＵＶ光は、１００から４００ナノメートル（ｎｍ）の範
囲の波長、および３から１２４電子ボルトまでのエネルギを含む。ＵＶ光は、太陽、電気
アーク、およびブラック・ライトのような人工光源から放出される。イオン化放射光線(r
adiation)として、ＵＶ源は、多くの物質を成長または蛍光させる化学反応を起こさせる
ことができる。ＵＶ光は可視光を超えるが、殆どの人は日焼けによって、ＵＶ放射光線の
影響を知っている。しかしながら、ＵＶスペクトルは人間の健康に対して、有益および有
害双方の影響を他にも多く持っている。
【０００３】
ＵＶ放射光線は、以下のように分離される放射光線帯域を含む、多数の方法で分類する
ことができる。
ＵＶ  Ａ−帯域：４００から３２０ｎｍ
ＵＶ  Ｂ−帯域：３２０から２８０ｎｍ
ＵＶ  Ｃ−帯域：２８０から２００ｎｍ
太陽は、ＵＶ  Ａ、ＵＶ  Ｂ、およびＵＶ  Ｃ−帯域の放射光線を放出する。しかしな
がら、地球の大気のオゾン層がこの放射光線の約９８．７％を、特にＵＶ  ＢおよびＵＶ
Ｃ−帯域において吸収する。他の自然ＵＶ放射光線源は、稲妻(lightning)および火を
含む。
【０００４】
また同様に当技術分野では周知のように、通常のガラスは、ＵＶ  Ａ−帯域の放射光線
に対しては部分的に透過性があるが、ＵＶ  ＢおよびＵＶ  Ｃ−帯域における短い方のＵ
Ｖ波長に対しては不透過性である。材料の品質に応じて、シリカまたはクオーツ・ガラス
はＵＶ  Ｃ−帯域放射光線に対しても透過性となることができ、一方、窓ガラスは３５０
ｎｍよりも高いＵＶ光の約９０％を通過させるが、３００ｎｍよりも低いＵＶ光の９０％
以上を遮断する。
【０００５】
また同様に当技術分野では周知のように、ＵＶ  Ｃ−帯域の放射光線は人間には見るこ
とができず、通常のカメラ、ビデオ・ギア、および夜間映像システムには不可視である。
既存のＵＶ検出器は、一般に、炭化珪素デバイスまたは窒化アルミニウム・デバイスのよ
うなソリッド・ステート・デバイス、あるいは検知エレメントのようなガス充填チューブ
のいずれかを含む。ＵＶ検出器は、主に人工光を検出するために用いられている。例えば
、石油化学業界では、ＵＶ検出器を用いて、１８５から２６０ｎｍ範囲において強く放射
する燃焼水素炎を監視する。ＵＶ検出器は、炭化水素、金属、硫黄、水素、ヒドラジン、
およびアンモニアのような燃焼化合物に感応する。工業用保安用途では、アーク溶接、電
気アーク、点火、およびＸ−線を効果的に検出するために、ＵＶ検出器を採用する。
【発明の概要】
【発明が解決しようとする課題】
【０００６】
撃墜された(downed)パイロットまたは行方不明のパイロット、あるいは海上において船
から落ちた人（ＭＯＢ）、雪崩の犠牲者、行方不明のハイカーの救出、更にその他の救出
が想定される場面において、時間は重大である。犠牲者の救出における成功は、犠牲者に
おける低体温症の急速な進展、極度の疲労、溺死、危険な地形、または敵との遭遇のため
、分単位で測定するとよい。環境的条件が厳しい場合、救援隊は、犠牲者を突き止め損ね
ることもあり得る。犠牲者は、捜索補助具を装着している（またはつなぎ止めている）が
、突き止めて追跡するためには見通し線が必要となる。更に、多くの捜索補助具は、外海
では比較的長い距離から突き止めて追跡することはほぼ不可能であり、救援船が現れて捜
索をさかのぼって調べようとしている間に連絡が途絶える可能性がある。
【０００７】
ストロボは、夜間の穏やかな海(water)では、１マイル未満の距離においてほどほどに
見ることができる。生憎、ストロボは日中、および／または多くの事故が発生する悪天候
では、見えにくくなる。また、海を漂流する犠牲者および／または陸上を動き回る犠牲者
（例えば、当該区域において危険な条件および／または敵の攻撃(hostile force)を避け
るため）は、救援隊が一時的に犠牲者の居所が分からなくなっているときに、見失う可能
性がある。更に、海の波および風が作業を妨げて、見失った犠牲者が長い距離にわたって
漂流する可能性がある。
【０００８】
これらの問題の多くを克服するために、捜索および救援活動の間に、ＵＶ  Ｃ−帯域放
射光線を用いることができる。具体的には、本発明者は、ＵＶ  Ｃ−帯域検出器がソラー
・ブラインド型であるので（地球の大気がＵＶ  Ｃ−帯域放射光線を遮る）、ＵＶ  Ｃ−
帯域放射光線を、屋外および屋内、並びに昼間および夜間を含む、多種多様の環境におい
て用いることができることも理解した。更に、ＵＶ  Ｃ−帯域放射光線は、一般に、雨や
霧のような厳しい天候や埃の影響を受けず、したがって、他の場合には問題になるこれら
の条件下でも有効に用いることができる。他の有用な特徴は、ＵＶ  Ｃ−帯域放射光線が
水、土、雪、並びに歩道や壁のような人工表面で良く反射することである。
【課題を解決するための手段】
【０００９】
概略的な全体像において、本明細書において記載する本発明の概念、技法、およびシス
テムは、失われたエンティティを突き止めて追跡するための捜索および救援活動において
用いることができる。更に特定すれば、本発明の概念、技法、およびシステムは、不明の
犠牲者または資産に取り付けるおよび／または結び付けることができるＵＶ  Ｃ−帯域放
射光線源を突き止めて追跡するために、ＵＶ  Ｃ−帯域検出器の使用を伴う。本発明の概
念、技法、およびシステムは、従来技術において体験した多くの問題を克服するように、
捜索および救援機能を支援するために用いることができる。
【００１０】
有利なことに、救援隊が比較的長い距離を踏破することが多い環境では（飛行機が衝突
し、救援隊が衝突の正確な場所を探し当てることができない場合に、不明の犠牲者を突き
止めようとするため等）、本発明の概念、技法、およびシステムは、比較的長距離から、
不明のエンティティを突き止めそして追跡することを可能にする。一実施形態では、低電
力ＵＶ  Ｃ−帯域放射光線源は、見通し線を通して（即ち、何の障害物にも遮られない）
何マイルにもわたって認識すること、航空機搭載反射板によって反射することおよび／ま
たは散乱することができる。
【００１１】
別の実施形態では、ＵＶ  Ｃ−帯域放射光線は、ハンドヘルドＵＶ  Ｃ−帯域撮像器に
よって見ることができる。同じまたは異なる実施形態において、本発明のシステムを組み
込むように救援デバイスを構成することができる。例えば、約４００ナノメートル（ｎｍ
）から約７００ｎｍの範囲において可視光（発行ダイオードからのような）および／また
は７００ｎｍよりも高い赤外線光を放出するストロボを、ＵＶ  Ｃ−帯域放射光線源を組
み込むように構成することができ、ＵＶ  Ｃ−帯域撮像器を用いて、捜索および救援の作
業を高速化および簡素化することができる。ストロボを用いる用途では、ＵＶ  Ｃ−帯域
放射光線を通常遮断するガラスまたはプラスチック・ストロボ・カバーを除去すること、
またはストロボが放出するＵＶ  Ｃ−帯域放射光線を遮断しない別の材料で置き換えるこ
とができる。その他の例では、ストロボ管の材料がＵＶ  Ｃ−帯域放射光線を遮断しても
よく、ＵＶ  Ｃ−帯域放射光線を遮断しない他の材料と置き換えることができる。
【００１２】
１つの態様では、捜索および救援システムは、放射光線を放出する放射光線源を含む救
援ビーコンであって、放射光線の少なくとも一部が紫外線ｃ−帯域放射光線を含む、救援
ビーコンと、救援ビーコンを突き止めることを可能にするために紫外線ｃ−帯域放射光線
を検出する紫外線ｃ−帯域検出器とを含む。
【００１３】
更に別の実施形態では、本システムは、以下の特徴の内１つ以上を含む。救援ビーコン
は、移動体に結合されている。放射光線源は、無指向性放射光線源である。放射光線の大
部分は、紫外線ｃ−帯域放射光線源である。放射光線源は、発光ダイオード、および気体
放電管の内少なくとも１つである。気体放電管は、キセノンまたは水銀放電管である。紫
外線ｃ−帯域検出器は、１ビット検出器である。振動発生器は、紫外線ｃ−帯域放射光線
の検出に応答して振動する。紫外線ｃ−帯域検出器は、撮像器である。撮像器は、画像を
ユーザに表示し、この画像が、検出された紫外線ｃ−帯域放射光線を表す紫外線ｃ−帯域
部分と、救援ビーコンの環境を表す可視光部分とを含む。
【００１４】
他の態様では、捜索および救援方法は、放射光線源を含む救援ビーコンを設けるステッ
プであって、少なくとも一部が紫外線ｃ−帯域放射光線を含む、ステップと、紫外線ｃ−
帯域検出器を用いて、紫外線ｃ−帯域放射光線を検出するステップとを含む。
【００１５】
本方法の別の実施形態は、以下の特徴の内１つ以上を含む。救援ビーコンが移動体に結
合されている。放射光線源は、無指向性放射光線源である。放射光線の大部分は、紫外線
ｃ−帯域放射光線源である。放射光線源は、発光ダイオード、および気体放電管の内少な
くとも１つである。気体放電管は、キセノンまたは水銀放電管である。紫外線ｃ−帯域検
出器が１ビット検出器である。紫外線ｃ−帯域放射光線の検出に応答して振動刺激を発生
する。紫外線ｃ−帯域検出器は、撮像器である。画像をユーザに表示し、この画像が、検
出された紫外線ｃ−帯域放射光線を表す紫外線ｃ−帯域部分と、救援ビーコンの環境を表
す可視光部分とを含む。
【００１６】
尚、本発明の概念、技法、およびシステムは捜索および救援活動に限定されるのではな
いことは、当業者には容易に明らかとなるであろう。非限定的な一例を挙げると、本発明
の概念、技法、およびシステムは、移動ビーコンおよび／または固定ビーコンを突き止め
そして追跡して、研究活動および／または商業的努力および／または組織的機能を支援す
るために用いることができる。例えば、ＵＶ放射光線源を観測気球に取り付けて、天気予
報を支援すること、または現場デバイスに取り付けて、ＵＶ検出器によって検出すること
ができる商業的資産を追跡することができる。
【００１７】
以上の特徴、および詳細な説明は、以下の図面の説明から一層深く理解することができ
よう。
【図面の簡単な説明】
【００１８】
【図１】図１は、本明細書に記載する本発明の概念、技法、およびシステムによる捜索および救援システムの一実施形態を表す図である。
【図２】図２は、一部がＵＶ  Ｃ−帯域放射光線を含む電磁スペクトルを表す図である。
【図３Ａ】図３Ａは、本明細書に記載する本発明の概念、技法、およびシステムによる救援ビーコンの一実施形態を表す図である。
【図３Ｂ】図３Ｂは、本明細書に記載する本発明の概念、技法、およびシステムによる救援ビーコンの別の実施形態を表す図である。
【図３Ｃ】図３Ｃは、本明細書に記載する本発明の概念、技法、およびシステムによる救援ビーコンの更に別の実施形態を表す図である。
【図３Ｄ】図３Ｄは、本明細書に記載する本発明の概念、技法、およびシステムの一実施形態を含む捜索および救援環境を表す図である。
【図３Ｅ】図３Ｅは、本明細書に記載する本発明の概念、技法、およびシステムの一実施形態を用いることができる研究環境を表す図である。
【図３Ｆ】図３Ｆは、本明細書に記載する本発明の概念、技法、およびシステムの一実施形態を用いることができる更に別の捜索および救援環境を表す図である。
【図４】図４は、図１のシステムにおいて用いることができるタイプの紫外線（ＵＶ）Ｃ−帯域撮像器一実施形態を表す図である。
【図５】図５は、本明細書において記載する本発明の捜索および救援方法の一実施形態のフロー図である。
【図６Ａ】図６Ａは、本明細書において記載する本発明の概念、技法、およびシステムによりハンドヘルド・デバイスの一実施形態を表す図である。
【図６Ｂ】図６Ｂは、ユーザの手において振動刺激を発生する図６Ａのハンドヘルド・デバイスを表す図である。
【図６Ｃ】図６Ｃは、図６Ａのハンドヘルド・デバイスの別の実施形態の近接横断面図である。
【図７】図７は、狭視界を有する紫外線Ｃ−帯域検出器を表す図、および当該検出器が放射光線源に向けて回転する時の検出器の特定の応答行動を説明したグラフである。
【図８Ａ】図８Ａは、回路に結合される同期検出器の一実施形態を表す図である。
【図８Ｂ】図８Ｂは、特定の視界を有する同期検出器の別の実施形態を表す図である。
【図８Ｃ】図８Ｃは、同期検出器および振動モータの更なる別の実施形態の回路図である。
【図９Ａ】図９Ａは、紫外線Ｃ−帯域検出器の反射器の一実施形態について表す図である。
【図９Ｂ】図９Ｂは、図９Ａの反射器の一実施形態の近接図である。
【図１０】図１０は、捜索および救援のための方法のフロー図である。
【図１０Ａ】図１０Ａは、捜索および救援のための方法のフロー図である。
【図１１】図１１は、動作モードを含む捜索および救援のための別の方法のフロー図である。
【発明を実施するための形態】
【００１９】
本明細書において記載する本発明の概念、技法、およびシステムの詳細な説明を開始す
る前に、捜索および捜索活動、並びに従来の技法に伴う問題や救命胴衣のような捜索補助
（水で動作するストロボ光(water-operated strobes)、クリップ・オン無線周波デバイス
等を含むことができる）、更には煙信号、警笛、および火炎のようなその他の方法の概略
的な全体像を示すことは有用であると考えられる。
【００２０】
撃墜されたパイロットおよび／または船から落ちた人（ＭＯＢ）のような犠牲者を突き
止める捜索および救援作業には、環境や手順による障害が生ずることが多い。特に、捜索
環境の障害物および表面的特性が、救援作業を阻む可能性がある。例えば、海における変
わりやすい波、陸地におけるでこぼこの地形、厳しい天候（雨および霧を含む）、および
距離が、犠牲者を突き止めるために必要となり得る、探知機から犠牲者までの直接的な見
通し線を遮る可能性がある。波(wave)の上の白波(white cap)のような、他の表面的特性
も犠牲者を分かり難くし、救援隊が犠牲者を捜し当てるのを特に困難にする。捜索船が方
向を逆転させるときのいわゆる「カム・アバウト」活動(come-about operations)の間に
救援隊が犠牲者の姿(sight)を失うと、他の問題が発生する。
【００２１】
図１を参照すると、本明細書において記載する本発明の概念、システム、および技法の
一実施形態によれば、捜索および救援システム１００は、放射光線１１２を放出する放射
光線源１０３を含む救援ビーコン１０２を含む。放射光線１１２の少なくとも一部は、紫
外線Ｃ−帯域放射光線を含む。システム１００は、更に、救援ビーコン１０２を突き止め
ることを可能にするために紫外線Ｃ−帯域放射光線を検出する紫外線Ｃ−帯域検出器１３
０も含む。
【００２２】
紫外線Ｃ−帯域放射光線源１０３は、紫外線Ｃ−帯域の放射光線範囲における光を含む
、光を放出することができるデバイスを含む。電磁スペクトル２２５を示す図２を参照す
ると、別の実施形態において、放出される光の大部分（例えば、放出される光の少なくと
も８０％）は、紫外線Ｂ−帯域２５２、紫外線Ａ−帯域２５４、可視範囲２５６、および
赤外線範囲２５８と比較すると、電磁スペクトル２５５の紫外線Ｃ−帯域放射光線範囲２
５０の中にある。図２において見ることができるように、紫外線Ｃ−帯域放射光線２５０
は、約２００ｎｍから約２８０ｎｍの範囲内にある。
【００２３】
再度図１を参照すると、非限定的な一例として、放射光線源１０３は、炭化珪素または
窒化アルミニウム・デバイスのようなソリッド・ステート・デバイス、あるいはガス充填
管を含むことができる。他の非限定的な一例では、紫外線Ｃ−帯域放射光線源１０３は、
紫外線Ｃ−帯域発光ダイオード、あるいは低圧力または中圧力気体のキセノンおよび／ま
たは水銀放電管を含むことができる。このような管は、低コストおよび長寿命デバイスと
言えるストロボ光を含むことができる。その他の放射光線源には、レーザ・ダイオード、
および他の種類の気体を混合した気体放電管が含まれる。
【００２４】
紫外線Ｃ−帯域放射光線検出器１３０は、紫外線Ｃ−帯域放射光線範囲の光を含む、光
を検出することができるデバイスを含む。非限定的な一例として、検出器１３０は１ビッ
ト紫外線Ｃ−帯域検出器を含むことができる。その非限定的な一例は、日本の静岡県、磐
田市にあるHamamatsu Photonics K.K.が製造するUVTron R2868である。これは、約１８５
ｎｍから約２６０ｎｍの範囲で光を検出することができる。別の実施形態では、検出器１
３０紫外線Ｃ−帯域撮像器を含む。その一例は、イスラエル国(Israel)、 Nes-ZionのOfi
l Ltd.が製造するDayCor（登録商標）Superbである。これは、絶対ソラー・ブラインド性
能および高い照準分解能を有する、高感度二重スペクトル(bi-spectral)可視光および紫
外線Ｃ−帯域検出装置である。尚、検出器１３０は以上で述べた実施形態に限定されるの
ではなく、他のタイプの紫外線Ｃ−帯域放射光線検出器を含むこともできることは、当業
者には理解されるであろう。
【００２５】
別の実施形態では、紫外線Ｃ−帯域検出器１３０は、先に述べた１ビットＵＶＴｒｏｎ
検出器と同様であってもよい、１ビット検出器、および検出された紫外線Ｃ−帯域放射光
線に応答して振動刺激を発生する振動発生器を含む。非限定的な一例として、振動発生器
は、振動モータとすることができる。振動発生器は、検出された紫外線Ｃ−帯域放射光線
の量に応じて、振動刺激を強めることおよび／または弱めることができる。例えば、比較
的強紫外線Ｃ−帯域放射光線源に応答して、振動刺激が強くなるのであってもよい。
【００２６】
このような検出器１０３は、検出された紫外線Ｃ−帯域放射光線に応答して振動するハ
ンドヘルド・デバイスに含めることもできる。有利なことに、このような検出器１０３は
比較的簡素で低価格でありながら、紫外線Ｃ−帯域放射光線の存在および／または位置を
ユーザに効果的に伝達できることである。例えば、検出器１０３は、ユーザがハンドヘル
ド・デバイスを直接紫外線Ｃ−帯域放射光線源１０２に向けたときに振動することができ
る。他の例では、検出器１０３は、埃の粒子によって散乱された放射光線のような散乱紫
外線ｃ−帯域放射光線、および／または水面から反射した放射光線のような、反射紫外線
ｃ−帯域放射光線に応答して振動することもできる。散乱および反射紫外線Ｃ−帯域放射
光線は、紫外線ｃ−帯域放射光線の正確な発生源や位置を示せないこともあるが、捜索空
間を狭めるために、概略的な発生源の方向を示すことができる。
【００２７】
別の実施形態では、紫外線ｃ−帯域検出器１３０は、更に、検出された紫外線ｃ−帯域
放射光線に応答して、それぞれ音響および映像刺激を発生する、音響発生デバイスおよび
／または映像発生デバイスも含む。更に、これらのデバイスを、前述した振動発生デバイ
スと組み合わせることもできる。
【００２８】
これより図３Ａおよび図３Ｂを参照すると、これらの図では、同様のエレメントは同様
の参照符号を有しており、更に別の実施形態において、救援ビーコン３０２が、紫外線ｃ
−帯域放射光線源３０３を含み、これらは図１と関連付けて先に説明した救援ビーコン１
０２および放射光線源１０３と同様であってもよく、犠牲者３０１が装着している救命胴
衣３０５（図３Ａ）に結合されている。別の実施形態では、救援ビーコン１０２を救命浮
き輪または、犠牲者３０１に結び付けることができる（３０７）発射可能な水中落下人マ
ーカ(throwable man-overboard marker)３１０（図３Ｂ）に結合することもできる。救援
ビーコン３０２をこれらのデバイスに結合するには、種々の方法を用いることができ、締
結具（その非限定的な例には、リベット、クリップ、ステープルが含まれる）のような機
械的デバイスを設けること、またはエポキシを用いるというように化学的に行うこと、あ
るいはその組み合わせを設けることを含むが、これらに限定されるのではない。
【００２９】
図３Ｃを参照すると、この図では、図３Ａおよび図３Ｂの同様のエレメントが同様の参
照符号を有しており、他の実施形態において、救援ビーコン３０２は固定体となっている
。非限定的な例として、救援ビーコンは、地面３１７に埋め込まれた柱３１５、タワーの
ような永続的支持構造、またはその他のいずれの固定体であってもよい。この実施形態で
は、救援隊が救援犠牲者３０１を突き止めることができるように、犠牲者３０１は救援ビ
ーコン３０２の近くに留まっているとよい。
【００３０】
他の実施形態では、救援ビーコン３０２は移動体である。非限定的な一例として、救援
ビーコン３０２は、表面波、海流、および／または風力による漂流と共に移動する浮遊デ
バイスとすることができ、あるいは移動する車両または移動する不明の犠牲者に結合され
ていてもよい。後者の場合、不明の犠牲者は、敵の攻撃を避けるため、避難所を探すため
、および／または危険な環境条件（険しい地形のような）を避けるために移動する可能性
がある。同じまたは異なる実施形態において、救援ビーコン３０２を一時的に固定し、例
えば、不安定な地面のためにある時点でのみまたはある出来事の間だけ移動するのであっ
てもよい。例えば、救援ビーコン３０２を不安定な雪の堆積の中に配備し、なだれの間、
あるいは氷または雪の沈殿、溶融、および／または凍結のために一時的に移動するように
してもよい。
【００３１】
これより図３Ｄを参照すると、図３Ａおよび図３Ｂの同様のエレメントが同様の参照符
号を有しており、更に別の実施形態において、放射光線源３０３が無指向性放射光線源３
１２になっている。無指向性放射光線源とは、光線源を中心として全ての方向に実質的に
等しく光を放出する放射光線源である。有利なことに、このような放射光線源は、この放
射光線源に近づきつつあるおよび／または放射光線源から遠ざかりつつある車両上に装着
されたＵＶ  Ｃ−帯域検出器からの方向を含む、広い多様な方向から検出できることであ
る。
【００３２】
紫外線ｃ−帯域放射光線の反射特性と組み合わせると、放射光線源が救援車両３１９の
見通し線３１８以内にあるか否かには関係なく、放射光線源３０３を検出することができ
る。図３Ｄにおいて見られるように、救援車両３１９と救援ビーコン３０２との間の見通
し線３１８は、山頂３２１によって遮られている。しかしながら、紫外線ｃ−帯域検出器
３３０の視野の一部がＵＶＣ−帯域源３０３から発せられる紫外線ｃ−帯域放射光線３０
７の場の一部と重複している（３３３）限り、救援ビーコン３０２を検出することができ
る。
【００３３】
尚、本発明の概念、技法、およびシステムは、捜索および救援活動における用途に限定
されるのではないことは、当業者には容易に分かるであろう。非限定的な一例として、本
発明の概念、技法、およびシステムは、移動ビーコンおよび／または固定ビーコンを突き
止めそして追跡して、研究活動および／または商業的努力および／または組織的機能を支
援するために用いることができる。これより図３Ｅを参照すると、例えば、気象観測活動
を支援するために、ＵＶ放射光線源３８３を含むビーコン３８２を、観測気球３８７に取
り付けることができる。この例では、ＵＶ検出器３８０をタワー３８９に装着することが
できる。１つ以上の商業用用途では、本発明の概念、技法、およびシステムは、資産を追
跡するために用いることができる。
【００３４】
本願の全体を通じて説明するように、紫外線ｃ−帯域放射光線は、約２００ｎｍから約
２８０ｎｍの範囲内に入っている。図３Ｆを参照して、利点をあげると、このように放出
された光３９２は、可視光検出カメラ３９５および／または当技術分野で見られることが
多い望遠鏡または双眼鏡３９７を含む光学デバイスでは検出できないことである。このよ
うに、本発明の概念、技法、およびシステムは、通例これらのデバイス３９５，３９７を
用いる敵の軍隊３９３を妨害し、飛行機の墜落３９９に巻き込まれ墜落したパイロットの
ような、墜落した犠牲者３９１を突き止め、捕獲し、および／または制圧しようとするの
に役立つことができる。
【００３５】
これより図４を参照すると、更に別の実施形態において、本発明の概念、技法、および
システムは、紫外線ｃ−帯域放射光線源４０３によって放出される紫外線ｃ−帯域放射光
線４１２、および環境４９０内にある可視光を検出することができる撮像器４３０を含む
。撮像器４３０は、表示デバイス４３２上に、検出された紫外線ｃ−帯域放射光線４１３
および環境４２３の視覚的光景を含む画像４３４を発生する。撮像器４３０は、対物ＵＶ
および／またはズーム・レンズ、並びに参照番号４５５で全体的に示される、他のコンポ
ーネントを含むことができる。
【００３６】
更に別の実施液体では、検出された紫外線ｃ−帯域画像４１３を変換して（４１５）、
表示画像４３４の映像成分４３３として現れるようにする。映像成分４３３は、環境４９
０内にある他の表示物体４３５と重複してもよい。このように、図１に関して説明した救
援ビーコン１０２と同様に、救援隊は救援ビーコン４０２を突き止めて追跡することがで
きる。
【００３７】
これより図５を参照すると、捜索および救援方法５００は、紫外線ｃ−帯域放射光線を
放出する紫外線ｃ−帯域放射光線源を含む救援ビーコン５０２を設けるステップ、および
、紫外線ｃ−帯域検出器を用いて、紫外線ｃ−帯域放射光線５０４を検出するステップを
含む。別の実施形態では、方法５００は、広い捜索エリア、例えば、救援船を取り巻く３
６０度の捜索エリアを自動的に掃引し監視するために、放射光線スキャナを設けるステッ
プを含む。
【００３８】
同じまたは異なる実施形態において、方法５００は、広い捜索エリアから紫外線ｃ−帯
域検出器まで紫外線ｃ−帯域放射光線を反射する、紫外線ｃ−帯域放射光線反射板を設け
るステップを含む。例えば、紫外線ｃ−帯域反射板は、紫外線ｃ−帯域放射光線を検出器
に向けて反射することができるミラーを含むことができる。このようなミラーは、紫外線
ｃ−帯域放射光線を検出器に向けて全ての方向から実質的に等しく反射するように、前述
のスキャナに回転可能に結合するとよい。
【００３９】
これより図６Ａを参照すると、他の実施形態では、捜索および救援の動作は、放射光線
の検出を可能にするための紫外線ｃ−帯域幅放射光線検出器６３０（図１に関して説明し
た紫外線ｃ−帯域検出器と同一または類似のものであってもよい）、および検出された紫
外線ｃ−帯域放射光線に応答して刺激を発生する（全般的に参照番号６５２で示す）よう
に構成される刺激発生器６５０を含む。システム６００は、放射光線源によって発せられ
る紫外線ｃ−帯域放射光線を検出するために用いることができる。いくつかの実施形態で
は、救援ビーコン６０２から発せられる放射光線（その大部分が紫外線ｃ−帯域放射光線
を含む）を検出するように、紫外線ｃ−帯域放射光線検出器６３０が構成されることもあ
る。救援ビーコン６０２は、紫外線ｃ−帯域放射光線（全般的に参照番号６１２で示す）
を発するように構成される放射光線源６０３を含む。
【００４０】
いくつかの実施形態では、検出器６３０が、光電ガス放電検出器を含むものもある。有
利なことに、光電ガス放電検出器は、ソラー・ブラインド（即ち、紫外線ｃ−帯域放射光
線の外側の放射光線帯域に無感応）であり、可視光のような幾らかの放射光線を除去する
ための如何なる追加のフィルタリングも必要としない。
【００４１】
刺激６５２は、体知覚刺激、音響刺激、視覚刺激、またはこれらの組合せを含むことが
できるが、これに限定されない。各種方法は、刺激６５２を発生するために用いることが
できる。例えば、音響刺激は、音波を生成するために振動ダイヤフラムを用いて発生する
ことができ、視覚刺激は、発光ダイオード等を用いて発生することができる。
【００４２】
紫外線ｃ−帯域放射光線検出器６３０は、紫外線ｃ−帯域放射光線６１２に応答し、当
該応答を表す出力信号６３２を刺激発生器６５０に供給する。刺激発生器６５０は、出力
信号６３２を処理して、ユーザが検知することになる視覚、体知覚、および／または聴覚
の刺激６５２を与える。このようにして、ユーザは、環境における紫外線ｃ−帯域放射光
線６１２の存在、より具体的には、捜索および救援ビーコン６０２の紫外線ｃ−帯域放射
光線源６０３の存在に対して警告される。検出された紫外線のｃ−帯域放射光線は、捜索
および救援ビーコン以外の供給源から放射することもできる（即ち、捜索および救援ビー
コンの一群の１つからとすることができる）。しかしながら、本来的に生じる紫外線ｃ−
帯域放射光源の希少性により、検出した紫外線ｃ−帯域放射光線は、捜索および救援ビー
コン６０２から放射するのが好ましい。
【００４３】
ある特定の実施形態では、システム６００は、紫外線ｃ−帯域放射光線源６０３を突き
止めるために環境を走査するのに用いられる。このような実施形態では、刺激発生器６５
０は、放射光線源６３０から受ける放射光線６１２の強さ／弱さに応じて、さまざまな強
度で刺激６５２を与えることができる。この刺激６５２は、検出器６３０から放射光線源
６０３の距離、および／または放射光線源６０３に対する検出器６３０の方向に影響を受
けることができる。いくつかの実施形態では、システム６００は、モータによって駆動さ
れる回転シャフトに、および／または回転可能な三脚シャフトに装着することができ、環
境の走査を自動化するものもある。
【００４４】
これより図６Ｂおよび再度図６Ａを参照すると、ある特定の実施形態では、システム６
００は、紫外線ｃ−帯域放射光線放出器６３０および刺激発生器６５０をハウジングする
ためのハンドヘルド・デバイス６０１を含む。ユーザは、ハンドヘルド・デバイス６０１
を保持する。いくつかの実施形態では、ハンドヘルド・デバイス６０１は、長尺体６５１
を含み、ユーザが刺激６５２を検知するのを許可するものもある。
【００４５】
いくつかの実施形態では、刺激６５２は、ユーザに知らせるためにハンドヘルド・デバ
イス６０１を振動させるのに用いる振動刺激を含むものもある。しかしながら、システム
６００について、このような実施形態に限定して解釈すべきではない。非限定的な実施例
によるものとして、異なるタイプの刺激発生デバイスは、ポータブル・デバイスおよび機
器（例えば、バックパックに載置される音声信号発信器）等に結合された衣類に組み込ん
だもの（例えば、ベストに組み込まれるバイブレータ）を含む。
【００４６】
いくつかの実施形態では、駆動軸に結合される電気モータを含む不平衡質量型の電気・
機会式振動発生機を含むことができるものもある。ここで、不平衡質量型では、ハンドヘ
ルド・デバイス６０１を振動させる駆動軸に対して回転することで発振機械エネルギが生
成される。
【００４７】
これより、本システム６００の一実施形態の近接横断面図を示した図６Ｃ、および再度
図６Ａを参照すると、いくつかの実施形態では、ハンドヘルド・デバイス６０１が、開口
部６２３を定める端部６２１を有する長尺体６５１を含み、紫外線ｃ−帯域放射光線６１
２を検出器６３０に通すものもある。長尺体６５１は、アパーチャ機構６１９を含み、こ
れは、開口６２３（アパーチャと称することもある）のサイズを制御するために拡張（６
１９Ａ）および縮小（６１９Ｂ）する。これによって、検出器６３０の視界６１３を（符
号６１３Ａおよび６１３Ｂに表すように）各々増減させる。さらに別の実施例では、長尺
体６５１は、径方向に、且つ端部６２１に向けて拡張し、アパーチャ・メカニズム６１９
に適合し、および／または視野６１３の範囲を増加させる。
【００４８】
有利なことに、１つの構成におけるシステム６００は、環境のまわりに拡散され、紫外
線ｃ−帯域放射光線源６０３から放射している紫外線ｃ−帯域放射光線６１２を検出し、
また、ハンドヘルド・デバイス６５１を保持しているユーザの位置に対する紫外線ｃ−帯
域放射光線源６０３の方向を決定するのに用いることができる。例えば、検出器６３０が
ユーザに対する広範囲にわたる角度から紫外線ｃ−帯域放射光線６１２を検出できるよう
に、アパーチャ６２３を拡張することができる。紫外線ｃ−帯域放射光線６１２を検出す
ると、別の構成では、紫外線ｃ帯域放射光線源６０３を突き止めるのを容易にするために
、検出器６３０を狭い視野６１３に狭めるようにアパーチャ６２３を縮小することができ
る。このようなシステム６００の構成の組合せは、物体を検出、追跡、および／または突
き止めるのに望ましく且つ必要となる用途と同様に、捜索および救援動作においても著し
く支援することができる。
【００４９】
更なる実施形態では、紫外線ｃ−帯域放射光線検出器６３０は、紫外線ｃ−帯域放射光
線６１２の存在（または、その代替として欠如）に対応したバイナリ結果（即ち、第１の
結果または第２の結果）を与える。刺激発生器６５０は、このバイナリ結果を受け、これ
に応じて紫外線ｃ−帯域放射光線６１２の存在に対応する刺激６５２を発生する。
【００５０】
他の実施態様では、紫外線ｃ−帯域放射光線検出器６３０は、検出した紫外線ｃ−帯域
放射光線６１２のレベルに対応付けて値の範囲を生成するように構成される。刺激発生器
６５０は、生成した値を受け、これに応じて当該生成した値に比例した刺激を発生する。
例えば、刺激発生器６５０は、生成した値に比例して、比較的強い刺激（例えば、強い信
号）または弱い刺激（例えば、弱い振動または振動なし）を発生することができる。
【００５１】
これより図７を参照すると、更なるの実施態様において、システム９００の刺激発生器
９６０は、刺激を、位置Ｕで表したユーザ位置に対する捜索および救援ビーコン９０２の
方向Ｄを表す軸９３６と、紫外線ｃ−帯域放射光線検出器９３０の視界９１３との間の角
度（全般的に符号９３５で示す）に対応付けて生成する。視界９１３は、ビュー領域を表
しており、その中で、検出器９３０は紫外線ｃ−帯域放射光線を受けることができ、また
、縦軸９６５のまわりを長尺のハンドヘルド本体９０１の中心におくことができる。
【００５２】
グラフ９５０は、システム９００による検出された紫外線ｃ−帯域放射光線への応答９
５５を表し、−１８０度から＋１８０度の範囲内の角度９３５を表す水平軸９５０Ａ、お
よび刺激発生器９６０が発生した（任意のユニットにおける）刺激強度を表す垂直軸９５
０Ｂを有する。図７からも分かるように、システム９００は、捜索および救援ビーコン９
０２に向けて位置Ｕのまわりを角度α１からα２まで回転する。刺激発生器９６０は、こ
れに対応して、応答９５５について地点９５５Ａから９５５Ｂまでに表したより強い刺激
を発生する。このようにして、システム９００は、追跡システム９００により（例えば、
保持および移動システム９００により）、並びに動的な応答９５５を受けることにより、
ユーザ位置Ｕに対する捜索および救援ビーコン９０２の方向Ｄを決定するように用いるこ
とができる。応答９５５は、図７に示すように角度９３５に線形に関連する必要はなく、
他の種類の応答行動、例えば、応答９５５（例えば、角度９３５に指数関数的に関連した
応答）の強調、および／または応答９５５の減弱に至る行動を含むことができる。
【００５３】
これより図８Ａを参照すると、更なる実施形態では、システム７００は、少なくとも２
つの紫外線ｃ−帯域検出器（例えば、第１の紫外線ｃ−帯域放射光線放出器７３０Ａおよ
び第２の紫外線ｃ−帯域放射光線検出器７３０Ｂ）を含む。第１および第２の紫外線ｃ−
帯域放射光線検出器７３０Ａ，７３０Ｂは、回路７６０に結合される。回路７６０は、第
１および第２の紫外線ｃ−帯域放射光線検出器７３０Ａ，７３０Ｂを同期させる。いくつ
かの実施形態では、第１の紫外線ｃ−帯域放射光線検出器７３０Ａは第１の光電ガス放電
検出器を含み、第２の紫外線ｃ−帯域放射光線検出器は第２の光電ガス放電検出器を含む
ものもある。第１および第２の光電ガス放電検出器は、回路７６０に結合され、検出器７
３０Ａ，７３０Ｂのガス充電および放電を同期させる。
【００５４】
ある特定の実施形態では、第１の紫外線ｃ−帯域放射光線検出器７３０Ａは、第１の出
力信号７３３Ａが供給される出力ポート７３２Ａ、および第２の出力信号７３５Ｂが供給
される出力ポート７３４Ａを含む。第１の出力信号７３３Ａおよび第２の出力信号７３５
Ａは、検出器７３０Ａのカソード電極信号およびアノード電極信号を表すことができ、検
出器７３０Ａで受ける紫外線ｃ−帯域放射光線に比例する。
【００５５】
第２の紫外線ｃ−帯域放射光線検出器７３０Ｂは、第３の出力信号７３３Ｂが供給され
る出力ポート７３２Ｂ、および第４の出力信号７３５Ｂが供給される出力ポート７３４Ｂ
を含む。第３の出力信号７３３Ｂおよび第４の出力信号７３５Ｂは、検出器７３０Ｂのカ
ソード電極信号およびアノード電極信号を表すことができ、検出器７３０Ｂで受ける紫外
線ｃ−帯域放射光線に比例する。
【００５６】
回路７６０の第１入力７６２は結合された第２の出力信号７３５Ａおよび第４の出力信
号７３５Ｂ（即ち、カソード電極信号）に応答し、また、回路７６０の第２の入力７６４
は結合された第１の出力信号７３３Ａおよび第３の出力信号７３３Ｂ（即ちアノード電極
信号）に応答する。このようにして、検出器７６０Ａ，７６０Ｂのそれぞれの出力信号（
７３３Ａ，７３５Ａ，７３３Ｂ，７３５Ｂ）が同期されることになると言うことができる
。
【００５７】
有利なことに、このような構成は、システム７００の感度および信頼性を、非同期検出
器からのガス放電排出から干渉を低減および／または除去することによって強化すること
ができる。更にまた、２つ以上の紫外線ｃー帯域放射光線検出器（例えば、検出器７３Ｏ
Ａ，７３０Ｂ）は、放射光線を検出するために増加した表面領域を設けることができる。
この表面領域は、システム７００の感度を増加させることができる。したがって、システ
ム７００は、比較的大きめの距離以上で、および／または比較的弱い放射光線源から発せ
られた紫外線ｃ−帯域射放射光線を検出するために用いることができる。更に、検出器（
例えば、検出器７３０Ａ，７３０Ｂ）は、様々な所望の方向からの放射光線を、視界の範
囲、例えば、３６０度視野や２７０度視野等で受けることができる。
【００５８】
多数の同期した紫外線ｃ−帯域放射光線検出器の他の利点として、電気ノイズの削減を
含み、より信頼性のある正確な結果をもたらすことができる。例えば、各検出器７３０は
、電気ノイズを呈することができ、その少なくとも一部分は、検出器電極の熱効果によっ
て生じる。しかしながら、各検出器７３０が統計学的に無相関の熱効果によって励起され
るので、各検出器７３０からの電気的ノイズ・コンポーネントの合計を削減することがで
き、および／または最小化することができる（即ち、電気的ノイズ・コンポーネントの一
部分は、一時的に平均ゼロよりも高くなり、そして、電気ノイズ・コンポーネントの他の
部分は、一時的に平均ゼロよりも低くなる）。つまり、電気的ノイズ・コンポーネントの
合計は、検出器７３０の数をそれぞれ２倍にするために、平均して最高３ｄＢよりも低く
することができる。例えば、２つの紫外線ｃ−帯域放射光線検出器７３０は、電気バック
グランド・ノイズの熱誘起コンポーネントを、単一の紫外線ｃ−帯域放射光線検出器と比
較して最大３ｄＢ削減することができ、４つの紫外線ｃ−帯域放射光線検出器７３０は、
電気バックグランド・ノイズを最大６ｄＢ削減でき、８つの紫外線ｃ−帯域放射光線検出
器７３０は、電気バックグランド・ノイズを最大９ｄＢ削減できる、といった具合である
。
【００５９】
１つの実施形態では、図８ｂに示される検出器の配列では、第１の検出器７３０Ａ’、
第２の検出器７３０Ｂ’、および第３の検出器７３０Ｃ’が同期して回路７６０’に結合
される。第１検出器７３０Ａ’は、第１の方向７３７Ａと平行して平面７９９に配置され
、第１方向７３７Ａから受けた放射光線の指向感度を供給する。第２検出器７３０Ｂ’は
、第１方向７３７Ａと直行する第２方向７３７Ｂと平行して平面７９９に配置され、第２
方向７３７Ｂから受けた放射光線への指向性感度を供給する。第３検出器７３０Ｃは第１
方向７３７と反対の第３の方向７３７Ｃと平行して平面７９９に配置され、第３方向７３
７Ｃから受けた放射光線の指向性感度を供給する。このようにして、第１検出器７３０Ａ
’、第２検出器Ｂ’および第３検出器７３０Ｃ’は、配列位置Ｐのまわりの約２７０度に
等しい検出器視界を提供することができる。
【００６０】
これより図８Ｃを参照すると、同期される検出器（全般的に符号７３０’’で表す）に
おけるある特定の実施形態では、検出器７３０’’に結合される回路７６０’’は、信号
条件付ボード７３９を含み、入力ポート７６４’においてアノード信号７３３’’に結合
し、入力ポート７６２’にカソード信号７３５’’に結合し、それぞれ受けるように構成
される。なお、３つの紫外線ｃ−帯域検出器７３０’’が図８Ｃに示されているが、勿論
、如何なる数の紫外線ｃ−帯域検出器を特定用途のノーズに応じて用いることができる。
【００６１】
回路７６０’’は、電池７７０または他の電源に結合して電力を供給し、また、電力ス
イッチに結合して回路７６０’’を活性化／非活性化する。マイクロコントローラ・ユニ
ット（ＭＣＵ）７７４および／またはパルス幅調整器（ＰＷＭ）ユニット７７６は、信号
条件付ボード７３９に結合することができる。ＭＣＵおよびＰＷＭユニットは、出力制御
信号７７５，７７７を発生して、振動するモータ７９０の速度を制御し、これにより、ユ
ーザが検知することができる振動を生成する。回路７６０’’は、例えばＮＭＯＳ７７８
および／または１つ以上の整流ダイオード７７９のような追加のコンポーネントを用いる
ことができる。
【００６２】
これより図９Ａを参照すると、更なる実施形態では、システム８００は反射器８８０を
含み、紫外線ｃ−帯域放射光線検出器８３０に近接して、紫外線ｃ−帯域放射光線の反射
器への入射を反射する。いくつかの実施形態では、反射器８８０は、長尺体８０１の端部
８２１に配置されるものもある。図９Ｂは、凹形反射面８８２を有する反射器８８０にお
けるある特定の実施形態の近接図を示している。凹形反射面８８２は、１つ以上の紫外線
ｃー帯域検出器（全般的に符号８３０’で示す）に近接して受けた紫外線ｃ−帯域放射光
線８１２を反射（および焦束）する。１つ以上の紫外線ｃー帯域検出器は、配列の軸８９
５に沿って配列される。反射器８８０は、長尺体８０１の縦軸８６５に、直交して延長す
ることができる。有利なことに、反射器８８０は、多数の検出器８３０に近接して放射光
線を受け、焦束させるために、比較的大きい反射面８８２を設ける。反射面８８２は、シ
ステム８００感度を強化することができる。
【００６３】
しかしながら、システム８００は、図９Ａに示されるタイプの４つの検出器８３０およ
び反射器８８０には限定されないものの、特定用途のニーズに合わせるために如何なる数
の検出器／反射器をも含むことができる。例えば、特定の構成は、比較的少量の放射光線
、環境のまわりに拡散される放射光線、および／または比較的狭い視界からの放射光線（
例えば、放射光線源の位置を正確に指摘する）について検出を強化することができる。こ
れらの構成は、凸形表面を有する反射器、または凹形および／若しくは凸形表面を有する
反射器の群を含むことができる。
【００６４】
これより図１０を参照すると、一態様では、捜索および救援方法１０００は、ステップ
１００２において、捜索および救援のビーコンにより発せられる紫外線ｃ−帯域放射光線
を検出するステップ、並びに、ステップ１００４において、検出した紫外線ｃ−帯域放射
光線に応答して刺激を発生してユーザに知らせるステップを含む。
【００６５】
これより図１０Ａを参照すると、更なる実施形態では、方法１０００’は、ステップ１
０１２において、多数の検出器を用いて紫外線ｃ−帯域放射光線を検出するステップ、並
びに、ステップ１０１４において、多数の検出器の出力を同期して（検出器は、光電ガス
放電検出器を含む）検出期間の干渉を低減、最小化、および／または除去するステップを
含む。
【００６６】
同一または異なる実施形態では、方法１０００’は、ステップ１０１６において、ハン
ドヘルド・デバイスを振動させるために振動刺激を発生するステップを含む。振動刺激の
大きさは、ユーザ位置に対する捜索および救援ビーコンの方向を表す軸と、１つ以上の紫
外線ｃ−帯域放射光線検出器の視界との間の角度に対応付けることができる。
【００６７】
これより図１１を参照すると、いくつかの実施形態では、方法１１００は、ステップ１
１０２において、環境のまわりに拡散される紫外線ｃ−帯域放射光線を検出して、検出し
た拡散放射光線に応答して刺激を与えるステップを含む。このことは、受動リスニング・
モードに関連付けることができ、検出器は、ターゲットとなる捜索および救援ビーコンに
よって発せられる任意のｃ−帯域放射光線について環境をモニタする。一旦決定ボックス
１１０３において検出されると、検出器は、ユーザに警告／通知することができる。
【００６８】
ステップ１１０４において、捜索および救援ビーコンの位置は、狭い捜索ビュー（即ち
狭い視界）で、検出器を用いて紫外線ｃ−帯域放射光線を能動的に移動および追跡させる
ことにより測定される。このことは能動エンゲージ・モードと称することができ、捜索お
よび救援ビーコンを突き止める（そして恐らく読み出す）ことが望ましい。刺激発生器は
、検出器の視界が捜索および救援ビーコンの方向に如何に近く一致するかに対応付いた大
きさを有した刺激を発生することができる。
【００６９】
次のことが理解されるべきである。本開示によれば、システムは、ｃ−帯域放射光線検
出器を含み、捜索および救援動作の間に放射光線の検出を可能とし、放射光線の少なくと
も一部が紫外線ｃ−帯域放射光線を含む。また、本システムは、検出された紫外線ｃ−帯
域放射光線に応答して刺激を発生する刺激発生器を含む。本システムはまた、以下の特徴
の内の１つ以上を含むこともできる。ｃ−帯域放射光線検出器が光電ガス放電検出器であ
り、当該刺激が、体知覚刺激、音響刺激または視覚刺激の内少なくとも１つを含む。体知
覚刺激は振動刺激を含む。本システムは、紫外線ｃ−帯域放射光線検出器および刺激発生
器をハウジングするための本体を備えており、刺激発生器が、捜索および救援ビーコンに
よって発せられる検出した紫外線ｃ−帯域放射光線に応答して当該本体を振動させるよう
に構成され、振動の大きさは、当該本体の縦軸に対する捜索および救援ビーコンの方向に
対応付いている。紫外線ｃ−帯域放射光線検出器は、第１の紫外線ｃ−帯域放射光線検出
器、第２の紫外線ｃ−帯域放射光線検出器、第１紫外線ｃ−帯域放射光線検出器および第
２紫外線ｃ−帯域放射光線検出器を同期するための回路を備える。本システムは、救援ビ
ーコンを備え、放射光線を発する放射光線源を備える。放射光線源は無指向性放射光線源
である。本システムは、紫外線ｃ−帯域放射光線検出器および刺激発生器をハウジングす
るための長尺体を備え、紫外線ｃ−帯域放射光線検出器が当該長尺体の端部に配置される
。本システムは、紫外線ｃ−帯域検出器に近接して長尺体の端部に配置される反射器を備
え、当該反射器が紫外線ｃ−帯域検出器に近接して当該反射器への紫外線ｃ−帯域放射光
線の入射を反射する。紫外線ｃ−帯域検出器は、第１の紫外線ｃ−帯域検出器と第２の紫
外線検出器とを含み、第１紫外線ｃ−帯域検出器と第２紫外線検出器は、反射器が紫外線
ｃ−帯域放射光線を焦束する軸に沿って配置される。
【００７０】
次のことがまた理解されるべきである。本開示によれば、ハンドヘルド・デバイスは、
捜索および救援動作の間に放射光線の検出を可能とし、放射光線の少なくとも一部が紫外
線ｃ−帯域放射光線を含んだ紫外線ｃ−帯域放射光線検出器、検出した紫外線ｃ−帯域放
射光線に応答して刺激を発生する刺激発生器、並びに、紫外線ｃ−帯域放射光線検出器お
よび刺激発生器をハウジングするための長尺体を備えており、当該刺激発生器が、検出し
た紫外線ｃ−帯域放射光線に応答して長尺体を振動させるように構成される。ハンドヘル
ド・デバイスは、次の特徴のうち１つ以上を含むことができる。紫外線ｃ−帯域放射光線
検出器が、第１の紫外線ｃ−帯域放射光線検出器、第２の紫外線ｃ−帯域放射光線検出器
、並びに、第１紫外線ｃ−帯域放射光線検出器および第２紫外線ｃ−帯域放射光線検出器
に結合される回路を備えており、当該回路が、第１紫外線ｃ−帯域放射光線検出器および
第２紫外線ｃ−帯域放射光線検出器を同期させる。刺激発生器は、長尺体の縦軸に対する
紫外線ｃ−帯域放射光線を発する供給源の方向に対応して、長尺軸を振動させるように構
成される。
【００７１】
次のことが更に理解されるべきである。本開示によれば、捜索および救援方法は、捜索
および救援ビーコンによって発せられる紫外線ｃ−帯域放射光線を検出するステップ、並
びに、ユーザに知らせるために、検出した紫外線ｃ−帯域放射光線に応答して刺激を発生
するステップを含む。本方法はまた、次の特徴のうち１つ以上を含むことができる。紫外
線ｃ−放射光線が光電ガス放電検出器を用いて検出される。紫外線ｃ−帯域放射光線が第
１の紫外線ｃ−帯域放射光線検出器および第２の紫外線ｃ−帯域放射光線検出器を用いて
検出され、更に、本方法は、第１紫外線ｃ−帯域放射光線検出器および第２紫外線ｃ−帯
域放射光線検出器を同期するステップを含む。刺激を発生するステップは、ハンドヘルド
・デバイスを振動させるために、振動刺激を発生することを含む。紫外線ｃ−帯域放射光
線を検出するステップが、更に、ユーザ位置に対する捜索および救援ビーコンの方向の決
定を可能にすることを含む。刺激発生器は、ユーザ位置に対する捜索および救援ビーコン
の方向を表す軸と、紫外線ｃ−帯域放射光線検出器の視界との間の角度に対応付いた刺激
を与える。紫外線ｃ−帯域放射光線検出器の視界は、紫外線ｃ−帯域放射光線検出器をハ
ウジングするために用いられる長尺体の縦軸に沿って配向される。
【００７２】
以上、本発明の実施形態例について説明したが、その概念を組み込んだ他の実施形態も
用いてもよいことは、今では当業者には明らかとなろう。本明細書に含まれる実施形態を
、開示した実施形態に限定してはならず、添付した請求項の主旨および範囲によってのみ
限定されてしかるべきである。本明細書において引用した全ての刊行物および参照文献は
、引用したことによって、その全体が本願にも明示的に含まれるものとする。
【図１】
0006530656.tif 000002
【図２】
0006530656.tif 000003
【図３Ａ】
0006530656.tif 000004
【図３Ｂ】
0006530656.tif 000005
【図３Ｃ】
0006530656.tif 000006
【図３Ｄ】
0006530656.tif 000007
【図３Ｅ】
0006530656.tif 000008
【図３Ｆ】
0006530656.tif 000009
【図４】
0006530656.tif 000010
【図５】
0006530656.tif 000011
【図６Ａ】
0006530656.tif 000012
【図６Ｂ】
0006530656.tif 000013
【図６Ｃ】
0006530656.tif 000014
【図７】
0006530656.tif 000015
【図８Ａ】
0006530656.tif 000016
【図８Ｂ】
0006530656.tif 000017
【図８Ｃ】
0006530656.tif 000018
【図９Ａ】
0006530656.tif 000019
【図９Ｂ】
0006530656.tif 000020
【図１０】
0006530656.tif 000021
【図１０Ａ】
0006530656.tif 000022
【図１１】
0006530656.tif 000023